(57)【要約】【課題】容器の壁部や底部に付着している気泡を剥離させ、液体容器の脱泡を確実に行ってその検査精度を向上させることができる液体容器の脱泡装置を提供すること。【解決手段】液体が充填された容器の壁部や底部に付着している気泡Ａを剥離する液体容器の脱泡装置において、容器１をその筒軸を略鉛直方向として支持するホルダ２と、このホルダ２を容器１の筒軸を略中心として正逆方向に交互に回転させる駆動装置３とを備える。【選択図】図１
2005296879.tif 000002
【特許請求の範囲】
【請求項１】
液体が充填された容器の壁部や底部に付着している気泡を剥離させる液体容器の脱泡方法において、容器をその筒軸を略中心として正逆方向に交互に回転させ、正方向の回転により容器内部の液体に正方向の旋回流を生じさせるとともに、逆方向の回転により、容器の壁部及び底部を前記旋回流と逆方向に回転させ、容器の壁部や底部と共に移動する気泡を該旋回流によって剥離させることを特徴とする液体容器の脱泡方法。
【請求項２】
液体が充填された容器の壁部や底部に付着している気泡を剥離させる液体容器の脱泡装置において、容器を支持するホルダと、該ホルダを容器の筒軸を略中心として正逆方向に交互に回転させる駆動装置とを備えたことを特徴とする液体容器の脱泡装置。
【発明の詳細な説明】
【技術分野】
【０００１】
本発明は、液体容器の脱泡装置に関し、特に、容器の壁部や底部に付着している気泡を剥離させ、液体容器の脱泡を確実に行ってその検査精度を向上させることができる液体容器の脱泡方法及びその装置に関するものである。
【背景技術】
【０００２】
近年、病院業務を効率化するだけでなく、混注作業中の細菌汚染のリスクを軽減し、また薬剤取り違え事故を防止するために、プレフィルドシリンジ（以下、本明細書において、単に「シリンジ」という。）と呼ばれる薬剤が既に充填されている注射容器が増えつつある。
【０００３】
このシリンジは、強度や耐久性、廃棄性の面から合成樹脂によって製作されているが、合成樹脂の特性から容器の壁部や底部に気泡が付着しやすく、一度付着した気泡はなかなか消滅しない。
【０００４】
このように容器の壁部や底部に気泡が付着していると、容器の外観検査や内容液の異物検査を行う際に、気泡を異物やキズと誤認して検査精度が悪くなるという問題が発生する。
【発明の開示】
【発明が解決しようとする課題】
【０００５】
本発明は、上記シリンジ等の液体容器が有する問題点に鑑み、容器の壁部や底部に付着している気泡を剥離させ、液体容器の脱泡を確実に行ってその検査精度を向上させることができる液体容器の脱泡方法及びその装置を提供することを目的とする。
【課題を解決するための手段】
【０００６】
上記目的を達成するため、本発明の液体容器の脱泡方法は、液体が充填された容器の壁部や底部に付着している気泡を剥離させる液体容器の脱泡方法において、容器をその筒軸を略中心として正逆方向に交互に回転させ、正方向の回転により容器内部の液体に正方向の旋回流を生じさせるとともに、逆方向の回転により、容器の壁部及び底部を前記旋回流と逆方向に回転させ、容器の壁部や底部と共に移動する気泡を該旋回流によって剥離させることを特徴とする。
【０００７】
また、上記液体容器の脱泡方法を実施する本発明の液体容器の脱泡装置は、液体が充填された容器の壁部や底部に付着している気泡を剥離させる液体容器の脱泡装置において、容器を支持するホルダと、該ホルダを容器の筒軸を略中心として正逆方向に交互に回転させる駆動装置とを備えたことを特徴とする。
【発明の効果】
【０００８】
本発明の液体容器の脱泡方法及びその装置によれば、容器をその筒軸を略中心として正逆方向に交互に回転させ、正方向の回転により容器内部の液体に正方向の旋回流を生じさせるとともに、逆方向の回転により、容器の壁部及び底部を前記旋回流と逆方向に回転させ、容器の壁部や底部と共に移動する気泡を該旋回流によって剥離させることから、液体容器の脱泡を確実に行ってその検査精度を向上させることができる。
【発明を実施するための最良の形態】
【０００９】
以下、本発明の液体容器の脱泡方法及びその装置の実施の形態を、図面に基づいて説明する。
【実施例１】
【００１０】
図１〜図４に、本発明の液体容器の脱泡装置の実施例を示す。
この液体容器の脱泡装置は、液体が充填された容器の壁部や底部に付着している気泡Ａを剥離させるもので、シリンジ１をその筒軸を略鉛直方向として支持するホルダ２と、該ホルダ２をシリンジ１の筒軸を略中心として正逆方向に交互に回転させる駆動装置３とを備えている。
【００１１】
ホルダ２は、図２に示すように、駆動装置３の回転軸に固定されたセットブロック２１と、中央にシリンジ１を挿通させる孔２２を備え、セットブロック２１に螺合することによりシリンジ１のフランジ１１を押さえるホールドリング２３とにより構成することができる。
また、ホルダ２は、図３に示すように、駆動装置３の回転軸に固定されたセットブロック２４と、該セットブロック２４の外周部にばね２６により閉じ方向に付勢して枢着され、シリンジ１のフランジ１１と基部とを押さえる複数のホールド爪２５とにより構成することができる。
【００１２】
駆動装置３は、ブラケット３１に固定したモータ３２からなり、図２〜図３に示すように、モータ３２の回転軸をセットブロック２１、２４に直結したり、図４に示すように、ベアリングブロック３３で支持したセットブロック２４をギア３４等を介して回転させるように構成することができる。
モータ３２には、サーボモータやその他汎用のモータを使用できるが、シリンジ１の回転数を５００〜１００００ｒｐｍ、好ましくは、約３０００ｒｐｍ以上で正逆回転させるものが望ましい。
【００１３】
一方、本実施例の液体容器の脱泡方法は、図１に示すように、液体が充填された容器の壁部や底部に付着している気泡Ａを剥離させるに際し、シリンジ１をその筒軸を略鉛直方向として支持するとともに、該筒軸を略中心として正逆方向に交互に回転させ、正方向の回転によりシリンジ内部の液体に正方向の旋回流を生じさせるとともに、逆方向の回転により、シリンジ１の壁部や底部を前記旋回流と逆方向に回転させ、シリンジ１の壁部や底部と共に移動する気泡Ａを該旋回流によって剥離させる。
【００１４】
旋回流は、シリンジ１を逆方向の回転に切り替えた瞬間は、慣性によってまだ正方向の回転を続けており、この正方向の旋回流により、逆方向に回転するシリンジ１の壁部や底部に付着している気泡Ａを容易に剥離させることができる。
シリンジ１の正逆回転は、瞬間的に切り替えることが好ましく、その回数は、１〜２回又はそれ以上とする。
本実施例では、回転数を３０００ｒｐｍ、回転時間を正逆それぞれ０．８秒として、正逆回転を２回繰り返しているが、これらの条件は、シリンジ内の液と泡の種類によって最適条例を選んで設定することができる。
【００１５】
シリンジ１の壁部や底部から剥離した気泡Ａは、図１（ｂ）〜（ｃ）に示すように、旋回流によりシリンジ１の中心側に引き込まれながら、液上面に浮上して消滅し、これにより、シリンジ１内の液体中に浮遊する異物Ｂだけを検査装置により確認することができる。
なお、本実施例では、シリンジを例に説明しているが、その材質はガラスでも合成樹脂でもよく、また、アンプル、バイアル、ボトル、目薬容器等も脱泡対象とすることができ、これらを排除するものではない。
【００１６】
かくして、本実施例の液体容器の脱泡方法及びその装置によれば、シリンジ１をその筒軸を略中心として正逆方向に交互に回転させ、正方向の回転によりシリンジ内部の液体に正方向の旋回流を生じさせるとともに、逆方向の回転により、シリンジ１の壁部及び底部を前記旋回流と逆方向に回転させ、シリンジ１の壁部や底部と共に移動する気泡Ａを該旋回流によって剥離させることから、シリンジ１の脱泡を確実に行ってその検査精度を向上させることができる。
【００１７】
以上、本発明の液体容器の脱泡方法及びその装置について、複数の実施例に基づいて説明したが、本発明は上記実施例に記載した構成に限定されるものではなく、例えば、液体容器を寝かせた状態でも正逆回転することができる等、その趣旨を逸脱しない範囲において適宜その構成を変更することができる。
【産業上の利用可能性】
【００１８】
以上、本発明の液体容器の脱泡方法及びその装置は、容器の壁部や底部に付着している気泡を剥離させ、液体容器の脱泡を確実に行うことができることから、シリンジ、アンプル、バイアル、ボトル、目薬容器等の医薬品等の液体容器の検査の用途に好適に用いることができる。
【図面の簡単な説明】
【００１９】
【図１】本発明の液体容器の脱泡方法の一実施例を示し、（ａ）は回転前の状態を示す正面図、（ｂ）は正逆回転時の状態を示す正面図、（ｃ）は回転後の状態を示す正面図である。
【図２】本発明の液体容器の脱泡装置の第１実施例を示す断面図である。
【図３】本発明の液体容器の脱泡装置の第２実施例を示す断面図である。
【図４】本発明の液体容器の脱泡装置の第３実施例を示す断面図である。
【符号の説明】
【００２０】
１    シリンジ（液体容器）
１１  フランジ
２    ホルダ
２１  セットブロック
２２  孔
２３  ホールドリング
２４  セットブロック
２５  ホールド爪
２６  ばね
３    駆動装置
３１  ブラケット
３２  モータ
３３  ベアリングブロック
３４  ギア
Ａ    気泡
Ｂ    異物
【図１】
2005296879.tif 000003
【図２】
2005296879.tif 000004
【図３】
2005296879.tif 000005
【図４】
2005296879.tif 000006